【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
プログラムガイド情報を表示する方法であって、
１つまたは複数のプロセッサと、前記１つまたは複数のプロセッサによる実行のための１つまたは複数のプログラムを格納するメモリとを有するコンピュータシステムにおいて、
時間限定イベントを表すデータを含むプログラムガイドデータ集合のサブセットを、時間の単位に対応する第１の軸と、第２の軸とを有する第１のグリッド上に提示することと、
前記第１のグリッドの前記第１および第２の軸と同じ第１および第２の軸を有する第２のグリッドであって、前記第１のグリッド上に提示される前記サブセットより多い数の、前記プログラムガイドデータ集合内の時間限定イベントに対応する第２のグリッドを提示することと、
前記第２のグリッドの一部分を選択するために前記第２のグリッド内にユーザ移動可能なウィンドウを提示し、前記ユーザ移動可能なウィンドウの現在位置によって選択される前記第２のグリッドの前記一部分に従って前記第１のグリッド上に提示された前記プログラムガイドデータ集合の前記サブセットを更新することと、
を含む、方法。
【請求項２】
前記時間限定イベントは予定されたマルチメディアコンテンツの提示を含む、請求項１に記載の方法。
【請求項３】
前記プログラムガイドデータ集合は所定の時限に放送予定のテレビ番組に対応する、請求項１に記載の方法。
【請求項４】
前記第１および第２のグリッドの前記第２の軸は、コンテンツの分類、コンテンツのジャンル、またはテレビチャンネルに対応する、請求項３に記載の方法。
【請求項５】
前記プログラムガイドデータ集合は検索照会に従うデータベースの検索から得られたデータを含む、請求項１に記載の方法。
【請求項６】
前記検索照会はユーザ指定の検索照会である、請求項５に記載の方法。
【請求項７】
前記検索照会は所定の検索照会を含む、請求項５に記載の方法。
【請求項８】
前記第２のグリッドは検索照会に対応するプログラムガイドデータ集合内の項目に対応する強調表示領域を含む、請求項５に記載の方法。
【請求項９】
前記第１のグリッドは、検索照会に対応しかつ前記ユーザ移動可能なウィンドウの現在位置に対応する前記プログラムガイドデータ集合内の項目に対応する強調表示されたデータを含む、請求項８に記載の方法。
【請求項１０】
前記第１のグリッドは前記第２のグリッドの表示領域より大きい表示領域を占める、請求項１に記載の方法。
【請求項１１】
前記ユーザ移動可能なウィンドウを再配置するユーザーアクションに対して、前記再配置されたユーザ移動可能なウィンドウに従って前記第１のグリッド上に提示された前記サブセットを変更することにより、応答することと、
前記第１のグリッド上に提示された前記変更されたサブセットに対応するサーバから追加のデータを取得することと、をさらに含む、請求項１に記載の方法。
【請求項１２】
前記追加のデータは前記時間限定イベントに関係する追加情報を含み、
前記方法は、前記追加情報内に含まれる情報を表示することによりそれぞれの時間限定イベントのユーザ選択に応答することをさらに含む、請求項１１に記載の方法。
【請求項１３】
メモリと、
１つまたは複数のプロセッサと、
メモリ内に格納され、かつ前記１つまたは複数のプロセッサにより実行されるように構成された１つまたは複数のモジュールと、
を含むプログラムガイド情報表示システムあって、
前記モジュールは、
時間限定イベントを表すデータを含むプログラムガイドデータ集合のサブセットを、時間の単位に対応する第１の軸と、第２の軸とを有する第１のグリッド上に提示するための命令と、
前記第１のグリッドの前記第１および第２の軸と同じ第１および第２の軸を有する第２のグリッドであって、前記第１のグリッド上に提示される前記サブセットより多い数の、前記プログラムガイドデータ集合内の時間限定イベントに対応する第２のグリッドを提示するための命令と、
前記第２のグリッドの一部分を選択するために前記第２のグリッド内にユーザ移動可能なウィンドウを提示し、前記ユーザ移動可能なウィンドウの現在位置によって選択される前記第２のグリッドの前記一部分に従って前記第１のグリッド上に提示された前記プログラムガイドデータ集合の前記サブセットを更新するための命令と、を含む、システム。
【請求項１４】
前記時間限定イベントは予定されたマルチメディアコンテンツの提示を含む、請求項１３に記載のシステム。
【請求項１５】
前記プログラムガイドデータ集合は検索照会に従うデータベースの検索から得られたデータを含む、請求項１３に記載のシステム。
【請求項１６】
前記検索照会はユーザ指定の検索照会である、請求項１５に記載のシステム。
【請求項１７】
前記検索照会は所定の検索照会を含む、請求項１５に記載のシステム。
【請求項１８】
前記第２のグリッドは検索照会に対応するプログラムガイドデータ集合内の項目に対応する強調表示領域を含む、請求項１５に記載のシステム。
【請求項１９】
前記モジュールは、
前記ユーザ移動可能なウィンドウを再配置するユーザーアクションに対して、前記再配置されたユーザ移動可能なウィンドウに従って前記第１のグリッド上に提示された前記サブセットを変更することにより、応答するための命令と、
前記第１のグリッド上に提示された前記変更されたサブセットに対応するサーバから追加のデータを取得するための命令と、をさらに含む、請求項１３に記載のシステム。
【請求項２０】
前記追加情報は、前記ユーザが前記第１のグリッドのそれぞれの時間限定イベントを選択すると表示される情報を含む、請求項１９に記載のシステム。
【請求項２１】
コンピュータシステムの１つまたは複数のプロセッサによる実行のためのコンピュータプログラム機構を格納する非一時的コンピュータ可読記憶媒体であって、
前記コンピュータプログラム機構は、
時間限定イベントを表すデータを含むプログラムガイドデータ集合のサブセットを、時間の単位に対応する第１の軸と、第２の軸とを有する第１のグリッド上に提示するための命令と、
前記第１のグリッドの前記第１および第２の軸と同じ第１および第２の軸を有する第２のグリッドであって、前記第１のグリッド上に提示された前記サブセットより多い数の、前記プログラムガイドデータ集合内の時間限定イベントに対応する第２のグリッドを提示するための命令と、
前記第２のグリッドの一部分を選択するために前記第２のグリッド内にユーザ移動可能なウィンドウを提示し、前記ユーザ移動可能なウィンドウの現在位置によって選択される前記第２のグリッドの前記一部分に従って前記第１のグリッド上に提示された前記プログラムガイドデータ集合の前記サブセットを更新するための命令と、
を含む、コンピュータ可読記憶媒体。
【請求項２２】
前記コンピュータプログラム機構は請求項２から１２のいずれかに記載の方法を行うための命令を含む、請求項２１に記載のコンピュータ可読記憶媒体。
【請求項２３】
コンピュータによって実施される情報表示方法であって、
時間限定イベントを表すデータ集合のサブセットを、時間の単位に対応する第１の軸と、第２の軸とを有する第１のグリッド上に提示することと、
第１および第２の軸を有する第２のグリッド内に前記データ集合の検索に対する検索結果を提示することと、
ユーザが前記第２のグリッドの一部分を選択し、前記第２のグリッドの前記ユーザが選択した一部分に従って前記第１のグリッド上に提示された前記サブセットを選択することを可能にすることと、
を含み、
前記第１のグリッド上に提示された前記サブセットより大きい、前記データ集合の一部分に対応する前記第２のグリッドの前記第１および第２の軸の少なくとも１つは、前記第１のグリッドの対応する軸とは異なる寸法に対応する、方法。
【請求項２４】
前記検索結果を視覚的に特定する所定の方式を使用することにより前記第２のグリッド内の前記検索結果を提示することと、
前記検索結果のサブセットを含むイベントを表すデータを、前記検索結果の前記サブセットを視覚的に特定する前記所定の方式を使用することにより前記第１のグリッド内に提示することと、を含む、請求項２３に記載の方法。
【請求項２５】
前記所定の方式は、異なる色を使用することにより前記検索結果の異なるサブセットを表示する色方式である、請求項２４に記載の方法。
【請求項２６】
前記所定の方式は、強調表示方法を使用することにより前記検索結果の異なるサブセットを表示する強調表示方式である、請求項２４に記載の方法。
【請求項２７】
検索照会に対する妥当性に従って前記検索結果を視覚的に識別する所定の方式を使用することにより前記第２のグリッド内の前記検索結果を提示することと、
前記所定の方式に従って、前記検索結果に対応する前記第１のグリッド内に提示されたイベントを視覚的に識別することと、を含む、請求項２３に記載の方法。
【請求項２８】
メモリと、
１つまたは複数のプロセッサと、
メモリ内に格納され、かつ前記１つまたは複数のプロセッサにより実行されるように構成された１つまたは複数のモジュールと、
を含む情報表示システムであって、
前記モジュールは、
時間限定イベントを表すデータ集合のサブセットを、時間の単位に対応する第１の軸と、第２の軸とを有する第１のグリッド上に提示するための命令と、
第１および第２の軸を有する第２のグリッド内に前記データ集合の検索に対する検索結果を提示するための命令と、
ユーザが前記第２のグリッドの一部分を選択し、前記第２のグリッドの前記ユーザが選択した一部分に従って前記第１のグリッド上に提示された前記サブセットを選択することを可能にするための命令と、
を含み、
前記第１のグリッド上に提示された前記サブセットより大きい、前記データ集合の一部分に対応する前記第２のグリッドの前記第１および第２の軸の少なくとも１つは、前記第１のグリッドの対応する軸とは異なる寸法に対応する、システム。
【請求項２９】
前記１つまたは複数のモジュールは、
前記検索結果を視覚的に特定する所定の方式を使用することにより前記第２のグリッド内の前記検索結果を提示するための命令と、
前記検索結果のサブセットを含むイベントを表すデータを、前記検索結果の前記サブセットを視覚的に特定する前記所定の方式を使用することにより前記第１のグリッド内に提示するための命令と、
をさらに含む、請求項２８に記載のシステム。
【請求項３０】
前記所定の方式は、異なる色を使用することにより前記検索結果の異なるサブセットを表示する色方式である、請求項２９に記載のシステム。
【請求項３１】
前記所定の方式は、強調表示方法を使用することにより前記検索結果の異なるサブセットを表示する強調表示方式である、請求項２９に記載のシステム。
【請求項３２】
前記１つまたは複数のモジュールは、
検索照会に対する妥当性に従って前記検索結果を視覚的に識別する所定の方式を使用することにより前記第２のグリッド内の前記検索結果を提示するための命令と、
前記所定の方式に従って、前記検索結果に対応する前記第１のグリッド内に提示されたイベントを視覚的に識別するための命令と、
をさらに含む請求項２８に記載の方法。